(57)【要約】【課題】  従来、空き周波数帯域が不明な場合、全周波数チャンネルを走査して放送信号の使用周波数帯域を検出しなければならず、周波数チャンネルを決定するまでの周波数サーチに時間がかかっていた。【解決手段】ＴＶ同軸通信モジュール３はチャンネル情報要求を映像信号処理部２へ送信し、映像信号処理部２はＵＶチューナ５とＢＳチューナ６から得られた受信チャンネル情報をチャンネル情報応答としてＴＶ同軸通信モジュール３へ応答し、ＴＶ同軸通信モジュール３は受信チャンネル情報に基づき空き周波数帯域を確認し、周波数サーチ範囲をその空き周波数帯域に設定し、通信信号の周波数チャンネルをサーチする。【選択図】  図１
2008283315.tif 000002
【特許請求の範囲】
【請求項１】
放送信号および通信信号を多重伝送する多重伝送路から入力される前記放送信号を受信し処理する映像信号処理部と、
前記多重伝送路から入力される前記通信信号を受信し処理する通信モジュール部と、
前記多重伝送路および前記通信モジュール部の間に存在して、前記多重伝送路から前記通信モジュール部へ入力される信号をフィルタリングするフィルタ回路部とを備え、
前記映像信号処理部は前記放送信号のチャンネル情報を生成し、
前記通信モジュール部は、前記チャンネル情報を取得し、そのチャンネル情報に基づいて、周波数サーチすべき空き周波数帯域を確認し、その確認した空き周波数帯域について周波数サーチを行い、その周波数サーチの結果得られた空き周波数チャンネルに、前記通信信号の周波数チャンネルを設定する、通信装置。
【請求項２】
前記通信モジュール部は、前記確認した空き周波数帯域以外の周波数帯域に対して、前記フィルタ回路部を用いて、遮断させるように制御する、請求項１に記載の通信装置。
【請求項３】
前記映像信号処理部は、ＵＶ（ＵＨＦ／ＶＨＦ）信号を受信するチューナ、ＢＳ信号を受信するチューナおよびＣＳ信号を受信するチューナの中の、少なくとも一つのチューナを有する、請求項１に記載の通信装置。
【請求項４】
前記フィルタ回路部は、チューナブルフィルタを有する、請求項１に記載の通信装置。
【請求項５】
前記フィルタ回路部は、複数のフィルタを有し、さらにそれらの複数のフィルタの接続経路を選択的に切り替えるスイッチを有する、請求項１に記載の通信装置。
【請求項６】
前記多重伝送路は、宅内ＬＡＮまたはインターネットアクセス回線へ接続されている、請求項１に記載の通信装置。
【請求項７】
前記多重伝送路は、ＴＶ同軸ケーブルである、請求項１に記載の通信装置。    
【請求項８】
放送信号および通信信号を多重伝送する多重伝送路における前記放送信号のチャンネル情報を生成する工程と、
前記チャンネル情報に基づき、周波数サーチすべき空き周波数帯域を確認する工程と、
前記確認した空き周波数帯域について実行された周波数サーチの結果得られた空き周波数チャンネルに、前記通信信号の周波数チャンネルを設定する周波数チャンネル設定工程と、
前記確認した空き周波数帯域以外の周波数帯域に対して、前記フィルタ回路部を用いて、遮断させるように制御する遮断工程と、を備えた、周波数チャンネル設定方法。
【請求項９】
請求項８の周波数チャンネル設定方法の、前記放送信号および通信信号を多重伝送する多重伝送路における前記放送信号のチャンネル情報を生成する工程と、前記チャンネル情報に基づき、周波数サーチすべき空き周波数帯域を確認する工程と、前記確認した空き周波数帯域について周波数サーチの結果得られた空き周波数チャンネルに、前記通信信号の周波数チャンネルを設定する周波数チャンネル設定工程と、前記確認した空き周波数帯域以外の周波数帯域に対して、前記フィルタ回路部を用いて、遮断させるように制御する遮断工程とをコンピュータに実行させるためのプログラム。
【請求項１０】
請求項９に記載のプログラムを記録した記録媒体であって、コンピュータにより処理可能な記録媒体。
【発明の詳細な説明】
【技術分野】
【０００１】
本発明は、ＴＶ同軸ケーブル等上で放送信号と多重して通信信号を伝送する通信装置と、周波数チャンネル設定方法に関するものである。
【背景技術】
【０００２】
ＴＶ同軸ケーブルは、本来放送信号を伝送するために設置されている。放送信号には７７０ＭＨｚ以下のＶＨＦ帯やＵＨＦ帯を用いる地上放送／ＣＡＴＶ放送、１０３２−１３３６ＭＨｚを用いるＢＳ放送、１３８５−１８９５ＭＨｚを用いるＣＳ放送がある。
【０００３】
また、全てのＴＶ同軸ケーブル上で上記の周波数帯域を占有しているわけではなく、未使用チャンネルやＢＳ放送やＣＳ放送を受信していない環境など、空き周波数帯域が存在する。そのため、同軸ケーブルを用いて通信を行う場合には、放送信号が使用していない空き周波数帯域を使用する。
【０００４】
しかしながら、放送信号に使用している周波数帯域は、地域やＣＡＴＶ局によって異なるため、ＣＡＴＶインターネットの宅内受信装置や宅内通信用の通信装置では、放送信号の伝送されていない空き周波数帯域は未知である。
【０００５】
そのため、従来ＴＶ同軸ケーブルを用いた通信装置では空き周波数帯域を検知するため、通信装置間でリンクが確立されるまで、設定可能な全周波数チャンネルを走査する周波数サーチを実施している（例えば特許文献１参照）。
【特許文献１】特開平２００６−２１７３４７
【発明の開示】
【発明が解決しようとする課題】
【０００６】
しかしながら、従来のやり方では、全周波数チャンネルを走査して放送信号の使用周波数帯域を検出しなければならず、周波数チャンネルを決定するまでの周波数サーチに時間がかかっていた。例えば、異なるネットワークで使用している通信信号が存在する場合、ビーコンを受信して自身がそのネットワークに入ることが出来るかどうかをチェックする必要があり、結局サーチに時間が掛かっていた。
【０００７】
本発明は、従来の通信装置の課題を考慮し、通信するための周波数チャンネルのリンク確立までの時間を短縮することが出来る通信装置などを提供することを目的とする。
【課題を解決するための手段】
【０００８】
第１の本発明は、放送信号および通信信号を多重伝送する多重伝送路から入力される前記放送信号を受信し処理する映像信号処理部と、
前記多重伝送路から入力される前記通信信号を受信し処理する通信モジュール部と、
前記多重伝送路および前記通信モジュール部の間に存在して、前記多重伝送路から前記通信モジュール部へ入力される信号をフィルタリングするフィルタ回路部とを備え、
前記映像信号処理部は前記放送信号のチャンネル情報を生成し、
前記通信モジュール部は、前記チャンネル情報を取得し、そのチャンネル情報に基づいて、周波数サーチすべき空き周波数帯域を確認し、その確認した空き周波数帯域について周波数サーチを行い、その周波数サーチの結果得られた空き周波数チャンネルに、前記通信信号の周波数チャンネルを設定する、通信装置である。
【０００９】
第２の本発明は、前記通信モジュール部が、前記確認した空き周波数帯域以外の周波数帯域に対して、前記フィルタ回路部を用いて、遮断させるように制御する、第１の本発明の通信装置である。  
【００１０】
第３の本発明は、前記映像信号処理部が、ＵＶ（ＵＨＦ／ＶＨＦ）信号を受信するチューナ、ＢＳ信号を受信するチューナおよびＣＳ信号を受信するチューナの中の、少なくとも一つのチューナを有する、第１の本発明の通信装置である。
【００１１】
第４の本発明は、前記フィルタ回路部が、チューナブルフィルタを有する、第１の本発明の通信装置である。
【００１２】
第５の本発明は、前記フィルタ回路部が、複数のフィルタを有し、さらにそれらの複数のフィルタの接続経路を選択的に切り替えるスイッチを有する、第１の本発明の通信装置である。
【００１３】
第６の本発明は、前記多重伝送路が、宅内ＬＡＮまたはインターネットアクセス回線へ接続されている、第１の本発明の通信装置である。
【００１４】
第７の本発明は、前記多重伝送路が、ＴＶ同軸ケーブルである、第１の本発明の通信装置である。    
【００１５】
第８の本発明は、放送信号および通信信号を多重伝送する多重伝送路における前記放送信号のチャンネル情報を生成する工程と、
前記チャンネル情報に基づき、周波数サーチすべき空き周波数帯域を確認する工程と、
前記確認した空き周波数帯域について実行された周波数サーチの結果得られた空き周波数チャンネルに、前記通信信号の周波数チャンネルを設定する周波数チャンネル設定工程と、
前記確認した空き周波数帯域以外の周波数帯域に対して、前記フィルタ回路部を用いて、遮断させるように制御する遮断工程と、を備えた、周波数チャンネル設定方法である。
【００１６】
第９の本発明は、第８の本発明の周波数チャンネル設定方法の、前記放送信号および通信信号を多重伝送する多重伝送路における前記放送信号のチャンネル情報を生成する工程と、前記チャンネル情報に基づき、周波数サーチすべき空き周波数帯域を確認する工程と、前記確認した空き周波数帯域について周波数サーチの結果得られた空き周波数チャンネルに、前記通信信号の周波数チャンネルを設定する周波数チャンネル設定工程と、前記確認した空き周波数帯域以外の周波数帯域に対して、前記フィルタ回路部を用いて、遮断させるように制御する遮断工程とをコンピュータに実行させるためのプログラムである。
【００１７】
第１０の本発明は、第９の本発明のプログラムを記録した記録媒体であって、コンピュータにより処理可能な記録媒体である。
【発明の効果】
【００１８】
本発明により、周波数サーチ時間の短縮が可能となる。
【発明を実施するための最良の形態】
【００１９】
以下に、本発明の実施の形態について、図面を参照しながら説明する。
（実施の形態１）
図１は、本実施の形態１にかかる同軸通信モジュール内蔵映像受信装置のブロック図を示したものである。
【００２０】
同軸通信モジュール内蔵受信装置１は、放送信号を受信する映像信号処理部２と通信信号を受信するＴＶ同軸通信モジュール３、及び、フィルタ回路部４で構成される受信装置である。１３はＴＶ同軸ケーブルである。分配器１２は信号を分配する機器であり、分波器１１は分配器１２の一方の分配された信号をＴＶ同軸ケーブル１３を通じて入力し所定の周波数帯域に応じて切り分ける機器である。
【００２１】
映像信号処理部２は分波器１１からの分波された両信号を入力し、放送信号を処理する処理部であって、一方の信号を入力するＵＶチューナ５と、他方の信号を入力するＢＳ／ＣＳチューナ６と、それらＵＶチューナ５とＢＳ／ＣＳチューナ６からの信号を入力するＣＰＵ７とを有する。
【００２２】
ＵＶチューナ５はＵＶ信号を処理できる回路であり、ＢＳ／ＣＳチューナ６はＢＳ信号やＣＳ信号を処理できる回路である。ＣＰＵ７はＵＶ信号、ＢＳ信号、ＣＳ信号から、チャンネル情報を抽出処理する回路である。
【００２３】
図２は、７７０ＭＨｚ以下の地上放送／ＣＡＴＶ放送帯域２１と、７７０−１０３２ＭＨｚの通信信号帯域２２と、１０３２−１３３６ＭＨｚ（ＢＳ周波数帯域）及び１３８５−１８９５ＭＨｚ（ＣＳ周波数帯域）のＢＳ／ＣＳ放送帯域とを示す。
【００２４】
フィルタ回路部４はチューナブルＨＰＦ８、チューナブルＬＰＦ９、フィルタ切替スイッチ１０を有し、前記分配器１２で分配された信号を、ＴＶ同軸ケーブル１３を通じて入力しフィルタリングする回路である。チューナブルＨＰＦ８は、その遮断周波数を調整可能なハイパスフィルタである。チューナブルＬＰＦ９は、その遮断周波数を調整可能なローパスフィルタである。フィルタ切替スイッチ１０はそれらチューナブルＨＰＦ８やチューナブルＬＰＦ９の接続関係を切替え、フィルタ回路部４のフィルタリング機能を変更させるためのスイッチである。
【００２５】
図３は、チューナブルＨＰＦ８の周波数特性３１を示す図である。図４は、チューナブルＬＰＦ９の周波数特性４１を示す図である。
【００２６】
ＴＶ同軸通信モジュール３はフィルタ回路部４から出力された信号を入力するが、後述するように、映像信号処理部２へチャンネル情報を要求し、そしてチャンネル情報応答を受けて前記フィルタ回路部４のフィルタリング機能を変更させ、また、チャンネル情報応答を受けて、空き周波数帯域に対して周波数サーチを行い、空き周波数チャンネルに通信周波数を設定するなどして、最適な通信処理を行うモジュールである。
【００２７】
ここにＴＶ同軸通信モジュール３は、本発明の通信モジュール部の一例である。また、ＴＶ同軸ケーブル１３は、本発明の多重伝送路の一例である。
【００２８】
次に、本実施の形態１の動作について説明する。
【００２９】
ＴＶ同軸ケーブル１３上を伝送される多重化された放送信号および通信信号は、分配器１２によって信号分配され、その分配された信号の一方は分波器１１によって、図２に示すような、７７０ＭＨｚ以下の地上放送／ＣＡＴＶ放送帯域２１で伝送されるＵＶ信号と、１０３２−１３３６ＭＨｚのＢＳ放送帯域２３およびＣＳ放送帯域１３８５−１８９５ＭＨｚで伝送されるＢＳ／ＣＳ信号とに分波される。
【００３０】
分波されたＵＶ信号は、ＵＶチューナ５で受信され、ＢＳ／ＣＳ信号は、ＢＳ／ＣＳチューナ６で受信される。受信した各信号のデータはＣＰＵ７に入力され処理される。
【００３１】
一方、分配器１２で信号分配された他方の信号は、フィルタ回路部４に入力され、図３に示したように遮断周波数が７７０ＭＨｚに設定されたチューナブルＨＰＦ８を通る。そして、フィルタ切替スイッチ１０によって図４に示したように遮断周波数が１０３２ＭＨｚに設定されたチューナブルＬＰＦ９を通る経路と、通らない経路に適宜切り替えられ、いずれかの経路を通過してＴＶ同軸通信モジュール３へと伝送される。
【００３２】
次に、ＴＶ同軸通信モジュール３が行う、周波数サーチ範囲の決定方法と、フィルタ回路部４のフィルタリング機能の設定方法（遮断周波数設定方法）と、通信周波数の設定方法を説明する。
【００３３】
図５はそのフローチャートを示したものである。ＴＶ同軸通信モジュール３は、 ａ．電源投入後、放送信号の未使用周波数帯域が不明な場合、 ｃ．チャンネル情報要求を映像信号処理部２へ送信する。受信チャンネル情報要求を受けた映像信号処理部２のＣＰＵ７は、 ｂ．ＵＶチューナ５とＢＳチューナ６から得られている受信チャンネル情報を、 ｄ．受信チャンネル情報応答としてＴＶ同軸通信モジュール３へ応答する。受信チャンネル情報応答を受信したＴＶ同軸通信モジュール３は ｅ．空き周波数帯域を確認し、 ｆ．周波数サーチ範囲をその確認した空き周波数帯域に設定する。
【００３４】
他方同時に、放送信号の未使用周波数帯域を確認し、その帯域に合わせてフィルタリング機能を設定するように ｇ．フィルタ設定信号をフィルタ回路部４の、チューナブルＨＰＦ８、チューナブルＬＰＦ９、フィルタ切替スイッチ１０へ送信する。
【００３５】
次に、受信情報チャンネルの各具体例に沿ってさらに詳しく説明する。
【００３６】
ケース１：受信チャンネル情報として、単に「有り」、「無し」と応答する場合。
【００３７】
ＣＰＵ７が、ＢＳ放送帯域又はＣＳ放送帯域のいずれか或いは双方の帯域が使用されていると判断した場合、受信チャンネル情報として、「有り」という応答を行う。
【００３８】
その場合は、ＴＶ同軸通信モジュール３はフィルタ回路部４に対して、フィルタ切替信号を送り、図６に示すように信号が流れるように制御する。太い実線はその信号の流れを示す。すなわち、信号はチューナブルＨＰＦ８からフィルタ切替スイッチ１０へ、そしてチューナブルＬＰＦ９へ入力される。その結果、フィルタ回路部４は図７のようなフィルタリング機能をもつフィルタとなる。従って、地上放送／ＣＡＴＶ放送帯域２１とＢＳ／ＣＳ放送帯域２３は遮断され、通信信号帯域２２のみが通信可能となる。
【００３９】
これによって、被ノイズや与ノイズを抑制することが出来る。
【００４０】
次に、ＴＶ同軸通信モジュール３は、この通信信号帯域２２を空き周波数帯域と判断し、周波数サーチ範囲をここに設定し、他のネットワークなどの通信信号として使用されているかどうかサーチする。そのサーチの結果、他の通信信号として使用されているチャンネルがあればそれを除いて、通信できる周波数チャンネルとしてチャンネル設定を行う。以後その周波数チャンネルを利用して通信を行う。
【００４１】
他方、ＣＰＵ７が、ＢＳ放送帯域とＣＳ放送帯域のいずれでも使用されていないと判断した場合、受信チャンネル情報として、「無し」という応答を行う。
【００４２】
その場合は、ＴＶ同軸通信モジュール３はフィルタ回路部４に対して、フィルタ切替信号を送り、図８に示すように信号が流れるように制御する。すなわち、信号はチューナブルＨＰＦ８からフィルタ切替スイッチ１０へ、そしてチューナブルＬＰＦ９を通過せず、ＴＶ同軸通信モジュール３へ入力される。その結果、フィルタ回路部４は図９のような周波数特性をもつフィルタとなる。従って、地上放送／ＣＡＴＶ放送帯域２１は遮断されるが、ＢＳ／ＣＳ放送帯域２３と通信信号帯域２２が通信可能となる。
【００４３】
次に、ＴＶ同軸通信モジュール３は、この通信信号帯域２２とＢＳ／ＣＳ放送帯域２３を空き周波数帯域と判断し、周波数サーチ範囲をここに設定し、他のネットワークなどの通信信号として使用されているかどうかサーチする。そのサーチの結果、他の通信信号として使用されているチャンネルがあればそれを除いて、通信できる周波数チャンネルとしてチャンネル設定を行う。以後その周波数チャンネルを利用して通信を行う。
【００４４】
ケース２：受信チャンネル情報として、ＢＳ放送帯域とＣＳ放送帯域の使用について、「ＢＳ有り」、「ＣＳ無し」などのようにそれぞれの使用状況を個別に応答をする場合。
【００４５】
ａ．個別応答する場合であっても、いずれかの放送帯域で使用があれば、ＴＶ同軸通信モジュール３はＢＳ／ＣＳ放送帯域は遮断してしまう。双方が使用されていない場合のみ、ＢＳ／ＣＳ放送帯域２３を空き周波数帯域として判断し利用する。
【００４６】
この場合は結局ケース１と同じ処理となる。
【００４７】
ｂ．いずれかの未使用の放送帯域について、個別に空き周波数帯域と判断し、個別にその帯域は使用できるようにする。
【００４８】
ｂ−１．例えば、ＣＳ放送帯域は使用されていないがＢＳ放送帯域が使用されている場合、「ＢＳ有り」、「ＣＳ無し」と応答を行う。
【００４９】
その場合は、ＴＶ同軸通信モジュール３はフィルタ回路部４に対して、フィルタ切替信号を送り、図１０に示すように信号が流れるように制御する。すなわち、信号はチューナブルＨＰＦ８からフィルタ切替スイッチ１０へ、そしてチューナブルＬＰＦ９へ入力される。その際まず、各フィルタの特性を図１１の実線のような周波数特性とし（図７の場合と同じ）、通信信号帯域２２を周波数サーチする。
【００５０】
その後、そのチューナブルＨＰＦ８と、ＬＰＦ９のそれぞれの周波数特性を、図１１の破線のように設定変更する（矢印Ａ，Ｂ参照）。その結果、フィルタ回路部４はＣＳ放送帯域２３−１が通過周波数帯域となる。そこで、そのＣＳ放送帯域２３−１を周波数サーチする。
【００５１】
従ってこのｂ−１の場合は、空き周波数帯域が通信信号帯域２２とＣＳ放送帯域２３−１となる。
【００５２】
ｂ−２．例えば、ＢＳ放送帯域は使用されていないがＣＳ放送帯域が使用されている場合、「ＢＳ無し」、「ＣＳ有り」と応答を行う。
【００５３】
その場合は、ＴＶ同軸通信モジュール３はフィルタ回路部４に対して、フィルタ切替信号を送り、図１２に示すように信号が流れるように制御する。すなわち、信号はチューナブルＨＰＦ８からフィルタ切替スイッチ１０へ、そしてチューナブルＬＰＦ９へ入力される。その際、各フィルタの特性は、図１３の実線のような周波数特性とする。
【００５４】
すなわち、チューナブルＨＰＦ８の遮断周波数は７７０ＭＨｚのままであるが、チューナブルＬＰＦ９の遮断周波数を１５００ＭＨｚに設定する。この設定によって、通信信号帯域２２とＢＳ放送帯域２３−２が空き周波数帯域となり、その両放送帯域を周波数サーチすることになる。
【００５５】
ｂ−３．ＢＳ放送帯域とＣＳ放送帯域のいずれでも使用されていないと判断した場合、受信情報チャンネルとして、「ＢＳ無し、ＣＳ無し」という応答を行う。
【００５６】
その場合は、ＴＶ同軸通信モジュール３はフィルタ回路部４に対して、フィルタ切替信号を送り、図８に示すように信号が流れるように制御する。すなわち、信号はチューナブルＨＰＦ８からフィルタ切替スイッチ１０へ、そしてチューナブルＬＰＦ９を通過せず、ＴＶ同軸通信モジュール３へ入力される。その結果、フィルタ回路部４は図９のような周波数特性をもつフィルタとなる。従って、地上放送／ＣＡＴＶ放送帯域２１は遮断され、ＢＳ／ＣＳ放送帯域２３と通信信号帯域２２が通信可能となる。
【００５７】
次に、ＴＶ同軸通信モジュール３は、この通信信号帯域２２とＢＳ／ＣＳ放送帯域２３を空き周波数帯域と判断し、周波数サーチ範囲をここに設定し、他のネットワークなどの通信信号として使用されているかどうかサーチする。そのサーチの結果、他の通信信号として使用されているチャンネルがあればそれを除いて、通信できる周波数チャンネルとしてチャンネル設定を行う。以後その周波数チャンネルを利用して通信を行う。
【００５８】
なお、この場合は、チューナブルＬＰＦ９を通過させないため、通過させる場合に比べてフィルタ挿入による挿入損を小さく出来る。
【００５９】
ｂ−４．ＢＳ放送帯域とＣＳ放送帯域のいずれでもが使用されていると判断した場合、受信情報チャンネルとして、「ＢＳ有り、ＣＳ有り」という応答を行う。
【００６０】
この場合は、ＴＶ同軸通信モジュール３はフィルタ回路部４に対して、フィルタ切替信号を送り、図６に示すように信号が流れるように制御する。その結果、フィルタ回路部４は図７のような周波数特性をもつフィルタとなる。従って、地上放送／ＣＡＴＶ放送帯域２１と、ＢＳ／ＣＳ放送帯域２３とが遮断され、通信信号帯域２２が通信可能となる。
【００６１】
以後、この通信信号帯域２２が空き周波数帯域と判断され、周波数サーチ範囲をここに設定しサーチする。そのサーチの結果通信できる周波数チャンネルで通信を行う。
【００６２】
ケース３：受信チャンネル情報として、ＢＳ放送帯域とＣＳ放送帯域の使用について、「使用チャンネルは○○」のように、それぞれの使用チャンネルについて具体的なチャンネル数で応答をする場合。
【００６３】
ａ．例えば、「所定チャンネル○○と別の所定チャンネル△△が両方使用されている」という応答がある場合。
【００６４】
その場合は、ＴＶ同軸通信モジュール３はフィルタ回路部４に対して、フィルタ切替信号を送り、図１４に示すように信号が流れるように制御する。すなわち、信号はチューナブルＨＰＦ８からフィルタ切替スイッチ１０へ、そしてチューナブルＬＰＦ９へ入力される。その際、各フィルタの特性を図１５の実線のような周波数特性とし（図７の場合と同じ）、通信信号帯域２２を周波数サーチする。なお、２箇所の網掛け部分が周波数チャンネル○○と、周波数チャンネル△△を示す。
【００６５】
従ってこの場合は、空き周波数帯域が通信信号帯域２２となる。
【００６６】
ｂ．例えば、「所定チャンネル△△が使用されている」という応答がある場合。
【００６７】
その場合は、ＴＶ同軸通信モジュール３はフィルタ回路部４に対して、フィルタ切替信号を送り、図１６に示すように信号が流れるように制御する。すなわち、信号はチューナブルＨＰＦ８からフィルタ切替スイッチ１０へ、そしてチューナブルＬＰＦ９へ入力される。その際、各フィルタの特性を図１７の実線のような周波数特性とし、通信信号帯域２２と、空いている周波数チャンネル３０を周波数サーチする。なお、１箇所の網掛け部分が周波数チャンネル△△を示す。
【００６８】
上記の通り、ＴＶ同軸通信モジュール３は映像信号処理部２からチャンネル情報を得ることによって、空き周波数帯域を認識可能となるため、周波数サーチするチャンネルを放送信号に使用していない空き周波数帯域のみに設定し、また、フィルタ回路部を空き周波数帯域のみに設定することが可能となる。
（実施の形態２）  
図１８は、本発明の実施の形態２にかかる、ＢＳチューナを持たない同軸通信モジュール内蔵映像受信装置のブロック図を示したものである。図１８は図１のＢＳチューナ６を除いたブロック図となるので、同一機能に関する説明は省略する。また、ＴＶ同軸通信モジュール３が映像信号処理部２から受信チャンネル応答を得る動作については、実施の形態１と同様なので省略する。
【００６９】
ＴＶ同軸通信モジュール３が映像信号処理部２から取得した受信チャンネル応答では、同軸通信モジュール内蔵映像受信装置にＢＳチューナが無いため、ＢＳ放送帯域の受信チャンネル情報を取得できない。したがって、ＴＶ同軸通信モジュール３は受信チャンネル応答で得られた空き周波数情報に加えて、ＢＳ放送帯域については、常に周波数サーチ範囲に設定する。
【００７０】
また、フィルタ回路部４の設定は、フィルタ切替スイッチ１０を切り替えて、チューナブルＬＰＦを通らない経路に設定する。このとき、ＢＳ信号が伝送されているかどうかについては、ＴＶ同軸通信モジュール３は通常の周波数サーチの動作をして確認する。
【００７１】
上記の通り、ＢＳ放送帯域を除いて、ＴＶ同軸通信モジュール３は映像信号処理部２からチャンネル情報を得ることによって、空き周波数帯域を認識可能となるため、周波数サーチするチャンネルを放送信号に使用していない空き周波数帯域のみに設定し、また、フィルタ回路部を空き周波数帯域のみに設定することが可能となる。
（実施の形態３）  
上述した実施の形態１と実施の形態２では、地上放送／ＣＡＴＶ放送帯域については、放送されていることを前提に説明したが、図１９は、本発明の実施の形態３において、ＵＨＦ帯に放送信号を伝送していない未使用の周波数チャンネルがある場合であって、その場合のチューナブルＨＰＦ８の設定例を示したものである。このとき、放送信号にあっては５００−７７０ＭＨｚは伝送されていないものとする。
【００７２】
同軸通信モジュール内蔵映像受信装置のブロック図については、実施の形態１と同様に図１となるので説明は省略する。
【００７３】
この実施の形態３では、ＴＶ同軸通信モジュール３が映像信号処理部２から取得した受信チャンネル応答では、ＵＶチューナ５では、５００ＭＨｚ以上が空き周波数と判定されるため、図１９に示すようにチューナブルＨＰＦ８の遮断周波数は５００ＭＨｚに設定される。３１はその周波数特性である。
【００７４】
次に、上述した図５のフローチャートで示すように、ＴＶ同軸通信モジュール３は、 ａ．電源投入後、 ｃ．チャンネル情報要求を映像信号処理部２のＣＰＵ７に送信する。受信チャンネル情報要求を受けたＣＰＵ７は、 ｂ．ＵＶチューナ５とＢＳチューナ６から得られている受信チャンネル情報を ｄ．チャンネル情報応答としてＴＶ同軸通信モジュール３へ応答する。
【００７５】
ここで、ＵＶチューナ５の受信チャンネル情報では５００−７７０ＭＨｚは空き周波数として応答されるため、チューナブルＨＰＦ８は図１９に示す遮断周波数５００ＭＨｚのフィルタとなる。
【００７６】
受信チャンネル情報応答を受信したＴＶ同軸通信モジュール３は ｅ．空き周波数帯域を確認し、 ｆ．周波数サーチ範囲を空き周波数帯域に設定する。
【００７７】
また、放送信号の未使用周波数帯域に合わせてフィルタを設定するように ｇ．フィルタ設定信号をチューナブルＨＰＦ８、チューナブルＬＰＦ９、フィルタ切替スイッチ１０へ送信する。
【００７８】
上記の通り、ＵＨＦ帯に放送信号を伝送していない場合、ＴＶ同軸通信モジュール３は映像信号処理部２からチャンネル情報を得ることによって、広い範囲の空き周波数帯域を認識可能となるため、通信信号の利用範囲が広がるとともに、周波数サーチするチャンネルを放送信号に使用していない空き周波数帯域のみに設定し、また、フィルタ回路部を空き周波数帯域のみに設定することが可能となる。
【００７９】
上述したように、本発明の実施の形態によれば、周波数サーチの範囲が最適となり、サーチの時間が少なくなる。
【００８０】
また、本発明の実施の形態によれば、通信に使用する周波数帯域を適宜拡張できるので、周波数使用効率が向上する。
【００８１】
また、本発明の実施の形態によれば、フィルタ挿入損失を小さくできる。
【００８２】
なお、本発明のプログラムは、上述した本発明の周波数チャンネル設定方法の全部又は一部の工程の動作をコンピュータにより実行させるためのプログラムであって、コンピュータと協働して動作するプログラムである。
【００８３】
また、本発明の記録媒体は、上述した本発明の周波数チャンネル設定方法の全部又は一部の工程の動作をコンピュータにより実行させるためのプログラムを記録した記録媒体であり、コンピュータにより読み取り可能且つ、読み取られた前記プログラムが前記コンピュータと協動して前記動作を実行する記録媒体である。
【００８４】
また、本発明のプログラムの一利用形態は、コンピュータにより読み取り可能な、ＲＯＭ等の記録媒体に記録され、コンピュータと協働して動作する態様であっても良い。
【００８５】
また、本発明のプログラムの一利用形態は、インターネット等の伝送媒体、光・電波・音波等の伝送媒体中を伝送し、コンピュータにより読みとられ、コンピュータと協働して動作する態様であっても良い。
【００８６】
また、上述した本発明のコンピュータは、ＣＰＵ等の純然たるハードウェアに限らず、ファームウェアや、ＯＳ、更に周辺機器を含むものであっても良い。
【００８７】
なお、以上説明した様に、本発明の構成は、ソフトウェア的に実現しても良いし、ハードウェア的に実現しても良い。
【産業上の利用可能性】
【００８８】
本発明にかかる通信装置、周波数チャンネル設定方法は、ＴＶ同軸ケーブルを利用した通信に有用である。
【図面の簡単な説明】
【００８９】
【図１】本発明の実施の形態１にかかる、同軸通信モジュール内蔵映像受信装置のブロック図
【図２】放送信号および通信信号の多重伝送における周波数割当の例を示すグラフ
【図３】上記実施の形態１における、チューナブルＨＰＦの設定例を示すグラフ
【図４】上記実施の形態１における、チューナブルＬＰＦの設定例を示すグラフ
【図５】上記実施の形態１における、周波数チャンネル設定およびフィルタ回路部の設定の動作を示すフローチャート
【図６】本発明の実施の形態１にかかる、同軸通信モジュール内蔵映像受信装置における信号の通過経路を示すブロック図
【図７】図６の場合におけるフィルタ回路部の周波数特性を示すグラフ
【図８】本発明の実施の形態１にかかる、同軸通信モジュール内蔵映像受信装置における信号の通過経路を示すブロック図
【図９】図８の場合におけるフィルタ回路部の周波数特性を示すグラフ
【図１０】本発明の実施の形態１にかかる、同軸通信モジュール内蔵映像受信装置における信号の通過経路を示すブロック図
【図１１】図１０の場合におけるフィルタ回路部の周波数特性を示すグラフ
【図１２】本発明の実施の形態１にかかる、同軸通信モジュール内蔵映像受信装置における信号の通過経路を示すブロック図
【図１３】図１２の場合におけるフィルタ回路部の周波数特性を示すグラフ
【図１４】本発明の実施の形態１にかかる、同軸通信モジュール内蔵映像受信装置における信号の通過経路を示すブロック図
【図１５】図１４の場合におけるフィルタ回路部の周波数特性を示すグラフ
【図１６】本発明の実施の形態１にかかる、同軸通信モジュール内蔵映像受信装置における信号の通過経路を示すブロック図
【図１７】図１６の場合におけるフィルタ回路部の周波数特性を示すグラフ
【図１８】本発明の実施の形態２にかかる、ＢＳチューナを持たない同軸通信モジュール内蔵映像受信装置のブロック図
【図１９】本発明の実施の形態３にかかる、未使用のＵＨＦ周波数チャンネルがある場合のチューナブルＨＰＦの設定例を示すグラフ
【符号の説明】
【００９０】
１  同軸通信モジュール内蔵映像受信装置
２  映像信号処理部
３  ＴＶ同軸通信モジュール
４  フィルタ回路部
５  ＵＶチューナ
６  ＢＳチューナ
７  ＣＰＵ
８  チューナブルＨＰＦ
９  チューナブルＬＰＦ
１０  フィルタ切替スイッチ
１１  分波器
１２  分配器
１３  ＴＶ同軸ケーブル
２１  地上放送／ＣＡＴＶ放送帯域
２２  通信信号帯域（空き周波数帯域）
２３  ＢＳ／ＣＳ放送帯域
３１  チューナブルＨＰＦ周波数特性
４１  チューナブルＬＰＦ周波数特性
【図１】
2008283315.tif 000003
【図２】
2008283315.tif 000004
【図３】
2008283315.tif 000005
【図４】
2008283315.tif 000006
【図５】
2008283315.tif 000007
【図６】
2008283315.tif 000008
【図７】
2008283315.tif 000009
【図８】
2008283315.tif 000010
【図９】
2008283315.tif 000011
【図１０】
2008283315.tif 000012
【図１１】
2008283315.tif 000013
【図１２】
2008283315.tif 000014
【図１３】
2008283315.tif 000015
【図１４】
2008283315.tif 000016
【図１５】
2008283315.tif 000017
【図１６】
2008283315.tif 000018
【図１７】
2008283315.tif 000019
【図１８】
2008283315.tif 000020
【図１９】
2008283315.tif 000021